(57)【要約】      （修正有）【課題】寝たきりや就寝中に排尿した時の尿漏れによる不快感をパット等を大量に使うことなく、快適に安眠することが出来るようにする。【解決手段】ゴム製のジョウゴ型キャップに腰バントを取り付け、陰茎から外れないようにする。キャップはジョウゴ型になっている為、キャップの先端に管を差込み、排尿された尿が管を流れるようにする。管を流れた尿は管の末端に取り付けられたビニール製の袋に一時的に溜める。【効果】溜まった尿はトイレに処理することが出来るため尿漏れによる不快感を軽減することができる。又、着脱自在な為、装具を取り付けない時にはそれぞれの部分を取り外し洗浄をすることが可能になるため衛生面でも清潔を保つことが出来る。【選択図】図１
2010240373.tif 000002
【特許請求の範囲】
【請求項１】
装着範囲を最小化し、柔らかいゴムで出来たキャップを管に差込み排尿された尿を溜める為に柔らかいゴムで構成した排尿補助装具。
【請求項２】
前記のキャップは何部かに切り離されており請求項１を固定する腰バンド
【請求項３】
請求項１のキャップ挿入口のスポンジ
【請求項４】
前記の請求項１に記載した柔らかいゴムで出来たキャップ
【請求項５】
前記、請求項４に差込む管（チューブ）
【請求項６】
前記、請求項５に差込む尿入れ袋
【請求項７】
前記、排尿補助装具は分岐した１以上の部品を有するものである請求項１〜６の排尿補助装具
【発明の詳細な説明】
【技術分野】
【０００１】本発明は介護の分野で排尿に関するものです
【背景技術】
【０００２】従来だと、おむつ又はパット等があります
【発明の概要】
【発明が解決しようとする課題】
【０００３】ところが、前記のおむつやパットでは就寝中に尿漏れを防ぐ為にパット等を沢山、重ねて使用したりする為、装着後モコモコやゴロゴロと不快感がある。
又、経済的にも大変負担になっている。【０００４】そこで、本発明（尿取リーマ）は寝たきりの人や就寝中に尿漏れすることなく、又装着後の不快感を軽減し安眠できることを目的とする。
【課題を解決するための手順】
【０００５】請求項１に記載の発明は、装着範囲を最小化し、柔らかいゴムで出来たキャップを管に差込み、このキャップを柔らかいゴムから構成したことを要旨する。従って請求項１の記載の発明によれば、キャップを腰バンドで固定すれば陰茎が外れずキャップの先端に差込んだ管から排尿が流れ、尿入れ袋に溜まり尿が漏れずにすむ。尿入れ袋に溜まった尿はトイレに処理することができ、排尿補助装具も取り外し洗浄することができる。従って、装着後の尿漏れやごわつきによる不快感や経済面も軽減される。
【０００６】請求項２に記載の発明は、排尿補助装具のキャップ部はその何部かにおいて切り離されているのであることを要旨とする。従って、請求項２に記載の発明によれば請求項１に記載の発明の作用に加え、キャップを固定させる際に伸縮性のあるゴムを腰バンドとして持ちいり、キャップに取り付ける。尚且つ腰バンドにはサイズ変更可能にする為のフックを付ける為、様々な体系に合わせることが可能になる。
【０００７】請求項３に記載の発明は、排尿補助装具のキャップ挿入口にスポンジを付けることによって肌への刺激を緩和することが可能になる。
【０００８】請求項４に記載の発明は、前記請求項１に記載の排尿補助装具のキャップ本体であり、柔らかい厚手のゴム製品をジョウゴの形状にすることにより、キャップの先端から排尿された尿はキャップ内に溜まることなく流れ出ることが可能になる。
【０００９】請求項５に記載の発明は、前記請求項４に記載されたキャップの作用により排尿された尿が流れる為の管となり、ビニール製の長い管を使用することによって、寝返り等の体位変換が可能になる。
【０００１０】請求項６に記載の発明は、前記請求項５に記載された管の作用により、管から流れ出た尿を一時的に溜める為の袋で管に差込むことにより、流れ出た排尿を袋に溜めることが出来る。その素材はビニールからなり周囲への消臭予防も可能になる。
【図１】
2010240373.tif 000003
【手続補正書】
【提出日】平成21年6月29日(2009.6.29)
【手続補正１】
【補正対象書類名】明細書
【補正対象項目名】全文
【補正方法】変更
【補正の内容】
【発明の詳細な説明】
【技術分野】
【０００１】本発明は介護の分野で排尿に関するものです
【背景技術】
【０００２】従来だと、おむつ又はパット等があります
【発明の概要】
【発明が解決しようとする課題】
【０００３】ところが、前記のおむつやパットでは就寝中に尿漏れを防ぐ為にパット等を沢山、重ねて使用したりする為、装着後モコモコやゴロゴロと不快感がある。
又、経済的にも大変負担になっている。【０００４】そこで、本発明（尿取リーマ）は寝たきりの人や就寝中に尿漏れすることなく、又装着後の不快感を軽減し安眠できることを目的とする。
【課題を解決するための手順】
【０００５】請求項１に記載の発明は、装着範囲を最小化し、柔らかいゴムで出来たキャップを管に差込み、このキャップを柔らかいゴムから構成したことを要旨する。従って請求項１の記載の発明によれば、キャップを腰バンドで固定すれば陰茎が外れずキャップの先端に差込んだ管から排尿が流れ、尿入れ袋に溜まり尿が漏れずにすむ。尿入れ袋に溜まった尿はトイレに処理することができ、排尿補助装具も取り外し洗浄することができる。従って、装着後の尿漏れやごわつきによる不快感や経済面も軽減される。
【０００６】請求項２に記載の発明は、排尿補助装具のキャップ部はその何部かにおいて切り離されているのであることを要旨とする。従って、請求項２に記載の発明によれば請求項１に記載の発明の作用に加え、キャップを固定させる際に伸縮性のあるゴムを腰バンドとして持ちいり、キャップに取り付ける。尚且つ腰バンドにはサイズ変更可能にする為のフックを付ける為、様々な体系に合わせることが可能になる。
【０００７】請求項３に記載の発明は、排尿補助装具のキャップ挿入口にスポンジを付けることによって肌への刺激を緩和することが可能になる。
【０００８】請求項４に記載の発明は、前記請求項１に記載の排尿補助装具のキャップ本体であり、柔らかい厚手のゴム製品をジョウゴの形状にすることにより、キャップの先端から排尿された尿はキャップ内に溜まることなく流れ出ることが可能になる。
【０００９】請求項５に記載の発明は、前記請求項４に記載されたキャップの作用により排尿された尿が流れる為の管となり、ビニール製の長い管を使用することによって、寝返り等の体位変換が可能になる。
【０００１０】請求項６に記載の発明は、前記請求項５に記載された管の作用により、管から流れ出た尿を一時的に溜める為の袋で管に差込むことにより、流れ出た排尿を袋に溜めることが出来る。その素材はビニールからなり周囲への消臭予防も可能になる。
【図面の簡単な説明】
【０００１１】
【図１】立面図を示す図である。
【符号の説明】
【０００１２】▲１▼は腰バンドには伸縮し、様々な体系に適応できるようにゴムを使用します。
ゴム幅は１．５ｃｍ長さは０ｍでサイズを調節出来る様に片側を折り返し何箇所かを縫っておきます。
▲２▼は腰バンドの反対側にサイズを調節する為のフックを取り付けます。
▲３▼はキャップ挿入口には皮膚への刺激を抑える為スポンジを取り付けます。幅１ｃｍ
▲４▼は陰茎を包み込むジョウゴ型のキャップ。キャップは厚手のゴム製で出来ています。（哺乳瓶の乳首の素材）直径５〜６ｃｍ、全体の長さ１０ｃｍ弱
▲５▼はキャップからも管（チューブ）からも取り外し出来る弁。
▲６▼は尿が流れて行く管（チューブ）直径１〜１．５ｃｍ長さ１．５ｍの物を使用します。
▲７▼は▲５▼と同様の物
▲８▼は尿が管から流れ溜めておく為のビニール製の袋、２ｌ用を使用します。